(57)【要約】【課題】より多様な時計ヘッドの取り付けを実現する。【解決手段】中空部を形成する環状のバンド部を有し、前記バンド部は、センサモジュール、および、時計ヘッドが取り付けられるエンドピースと着脱可能に係合する係合部、を有する、バンド装置。【選択図】図１
2019097779.tif 000002
【特許請求の範囲】
【請求項１】
中空部を形成する環状のバンド部を有し、
前記バンド部は、
センサモジュール、および、
時計ヘッドが取り付けられるエンドピースと着脱可能に係合する係合部、
を有する、バンド装置。
【請求項２】
前記エンドピースは、着用者の肌側に位置する裏面および前記裏面の反対側の表面を有するピース筐体部、および前記ピース筐体部の前記裏面から前記バンド部側に突出する連結部を有し、
前記係合部は、前記エンドピースの前記連結部が挿入される開口を有する、請求項１に記載のバンド装置。
【請求項３】
前記連結部は、前記ピース筐体部の厚み方向に沿って形成される軸部、および前記軸部の端部から前記厚み方向と直交する方向に張り出す張出部を有し、
前記係合部は、前記バンド部の裏面に、前記張出部と当接する当接面を有する、請求項２に記載のバンド装置。
【請求項４】
前記張出部の端部には前記ピース筐体部側に突出する突起が形成されており、
前記係合部の前記当接面は前記張出部の前記突起に当接し、
前記係合部は、前記当接面の前記開口側の縁に、前記着用者側に突出する段差部を有する、請求項３に記載のバンド装置。
【請求項５】
前記バンド装置は、複数の前記係合部を有し、
第１の係合部の前記当接面には、前記張出部の前記突起と嵌合可能な凹部が前記バンド部の延伸方向に沿って複数形成され、
第２の係合部の前記当接面には前記凹部が形成されない、請求項４に記載のバンド装置。
【請求項６】
前記エンドピースは、前記連結部を前記表面側に付勢する弾性部を有する、請求項３に記載のバンド装置。
【請求項７】
前記軸部は前記ピース筐体部に対して回転可能に設けられる、請求項６に記載のバンド装置。
【請求項８】
前記ピース筐体部は、前記軸部が挿入される孔の縁に沿って形成されるガイド部を有し、
前記ガイド部は、前記孔の周方向に沿って前記ピース筐体部の裏面からの高さが連続的に変化する傾斜面を有し、
前記軸部は、前記軸部が回転する際に前記傾斜面上を摺動する摺動部を有する、請求項７に記載のバンド装置。
【請求項９】
前記センサモジュールは脈拍センサを有し、
前記バンド部は、中央ブレード、第１の可動ブレードおよび第２の可動ブレードを有するバックル部を有し、
前記第１の可動ブレードは、前記中央ブレードの一端に接続され、前記中央ブレードの一端側に折り重ねられ、
前記第２の可動ブレードは、前記中央ブレードの他端に接続され、前記中央ブレードの他端側に折り重ねられ、
前記中央ブレードに折り重ねられた前記第１の可動ブレードと前記第２の可動ブレードの間隔部分に前記脈拍センサが配置される、請求項１に記載のバンド装置。
【請求項１０】
前記バンド装置は、前記エンドピースを備える、請求項１に記載のバンド装置。
【請求項１１】
前記バンド装置は、前記時計ヘッドを備える、請求項１０に記載のバンド装置。
【請求項１２】
センサモジュールを有するバンド部と、
前記バンド部と着脱可能なエンドピースと、
前記エンドピースに取り付けられる時計ヘッドと、
を備える、腕時計。
【請求項１３】
着用者の肌側に位置する裏面および前記裏面の反対側の表面を有するピース筐体部と、
前記ピース筐体部の前記裏面から突出し、バンド部と着脱可能に係合する連結部と、
を有する、エンドピース。
【発明の詳細な説明】
【技術分野】
【０００１】
本開示は、バンド装置、腕時計およびエンドピースに関する。
【背景技術】
【０００２】
腕時計は、時計ヘッド、腕に巻かれるバンド、および時計ヘッドとバンドを連結するエンドピースを有する。時計ヘッドとエンドピースが工具を用いずに着脱される構造も知られており、当該構造によれば、腕時計の時計ヘッドを他の時計ヘッドに簡単に付け替えることが可能である。【０００３】
近年、情報処理機能を備えたウェアラブル端末の普及も進んでいる。特許文献１には、バンドに回路基板を有し、エンドピースと時計ヘッドが着脱可能である電子機器が開示されている。当該電子機器においても、バンドおよびエンドピースに対して、時計ヘッドを他の時計ヘッドに簡単に付け替えることが可能である。
【先行技術文献】
【特許文献】
【０００４】
【特許文献１】特開２０１７−７３４２９号公報
【発明の概要】
【発明が解決しようとする課題】
【０００５】
しかし、特許文献１に記載の電子機器においては、エンドピースのサイズに対応するラグ幅を有する時計ヘッドはエンドピースに取り付けられ得るものの、エンドピースのサイズに対応しないラグ幅を有する時計ヘッドはエンドピースに取り付けられない。すなわち、特許文献１に記載の電子機器においては、バンドおよびエンドピースに対して付け替え可能な時計ヘッドは限られている。【０００６】
そこで、本開示では、より多様な時計ヘッドの取り付けを実現することが可能な、新規かつ改良されたバンド装置、腕時計およびエンドピースを提案する。
【課題を解決するための手段】
【０００７】
本開示によれば、中空部を形成する環状のバンド部を有し、前記バンド部は、センサモジュール、および、時計ヘッドが取り付けられるエンドピースと着脱可能に係合する係合部、を有する、バンド装置が提供される。【０００８】
また、本開示によれば、センサモジュールを有するバンド部と、前記バンド部と着脱可能なエンドピースと、前記エンドピースに取り付けられる時計ヘッドと、を備える、腕時計が提供される。【０００９】
また、本開示によれば、着用者の肌側に位置する裏面および前記裏面の反対側の表面を有するピース筐体部と、前記ピース筐体部の前記裏面から突出し、バンド部と着脱可能に係合する連結部と、を有する、エンドピースが提供される。
【発明の効果】
【００１０】
以上説明した本開示によるバンド装置、腕時計およびエンドピースは、より多様な時計ヘッドの取り付けを実現する。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の実施形態による腕時計の構成を示す斜視図である。
【図２】本開示の実施形態による腕時計の分離斜視図である。
【図３】時計ヘッドの裏面側を視点とする腕時計の構成を示す説明図である。
【図４】バックル部の閉状態および開状態を示す説明図である。
【図５】回路基板の構成を示す説明図である。
【図６】バンド部の内側を視点とする係合部の構成を示す説明図である。
【図７】図６に示した係合部のＩ−Ｉ断面を示す説明図である。
【図８】エンドピースの斜視図である。
【図９】図８のＩＩ−ＩＩ線断面を示す説明図である。
【図１０】連結部の回転過程を示す説明図である。
【図１１】連結部の回転後の状態を示す説明図である。
【図１２】図１１に示したＩＩＩ−ＩＩＩ線断面を示す説明図である。
【図１３】連結部がバンド部の開口に挿入された状態を示す断面図である。
【図１４】張出部の長手方向がバンド部の幅方向に一致している状態を示す断面図である。
【図１５】バンド部の単独使用を示す説明図である。
【図１６】多様なサイズの時計ヘッドへの対応を示す説明図である。
【図１７】多様なサイズの時計ヘッドへの対応を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００１５】
また、以下に示す項目順序に従って本開示を説明する。
１．腕時計の概要
２．バックル部の構成
３．係合部の構成
４．エンドピースの構成およびバンド部への取り付け
５．作用効果
６．変形例
７．補足
【００１６】
＜１．腕時計の概要＞
図１は、本開示の実施形態による腕時計１の構成を示す斜視図である。図１に示したように、本開示の実施形態による腕時計１は、時計ヘッド１０、エンドピース２０およびバンド部３０を有する。
【００１７】
（腕時計の構成の概要）
時計ヘッド１０は、表示面１１０およびラグ１１２を有する。表示面１１０は、時刻を表示する構成である。表示面１１０は、文字盤、時針および分針を有し、時針および分針が文字盤上のいずれかの位置を指すことで、時刻が表示されてもよい。または、表示面１１０は液晶ディスプレイで構成され、液晶ディスプレイ上に時刻を示す画面が表示されてもよい。当該画面は、アナログ時計を模した画面であってもよいし、時刻をデジタル表示する画面であってもよい。また、時計ヘッド１０はスマートウォッチの機能を有してもよい。ラグ１１２は、バンド部３０の延伸方向に沿って突出しており、バンド部３０の延伸方向の両側（以下、上側および下側と称する場合もある。）に、対向する２つラグ１１２が設けられる。対向する２つラグ１１２は幅方向上で離隔している。
【００１８】
エンドピース２０は、時計ヘッド１０の上側および下側において、時計ヘッド１０の対向する２つラグ１１２の間隔部分に取り付けられる。エンドピース２０は、バンド部３０とも係合する。当該エンドピース２０により、時計ヘッド１０およびバンド部３０が連結される。
【００１９】
バンド部３０は、環状であり、中空部Ｓを形成するバンド装置の一例である。図１においては時計ヘッド１０の裏面側にバンド部３０は示されていないが、時計ヘッド１０の上側および下側の間にもバンド部３０は連続的に存在している。当該バンド部３０はバックル部３２を有する。バックル部３２には回路基板が実装される。回路基板には、後述するようにセンサ機能および無線通信機能が実装され、図１に示したようにセンサ機能の一部を担う脈拍センサ４２１がバンド部３０の内周側に露出する。
【００２０】
（時計ヘッドとバンド部の連結）
続いて、上述した時計ヘッド１０およびバンド部３０の連結について、図２および図３を参照して説明する。
【００２１】
図２は、本開示の実施形態による腕時計１の分離斜視図である。図３は、時計ヘッド１０の裏面側を視点とする腕時計１の構成を示す説明図である。まず、エンドピース２０への時計ヘッド１０の取り付けについて説明する。図２に示したように、時計ヘッド１０の各ラグ１１２は、幅方向の内側にピン孔１１３を有する。また、エンドピース２０は、幅方向の両側に突出するピン２１３を有する。当該ピン２１３がラグ１１２のピン孔１１３に挿入されることで、エンドピース２０に時計ヘッド１０が取り付けられる。ここで、ピン２１３は幅方向の外側に向けて付勢されており、エンドピース２０は、ピン２１３を付勢力に対抗してピン２１３を引き込むための操作レバー２１５を有する。このため、着用者は操作レバー２１５を操作することにより、工具を使用せずに、エンドピース２０と時計ヘッド１０を容易に脱着することが可能である。
【００２２】
次に、バンド部３０へのエンドピース２０の取り付けについて説明する。図２に示したように、エンドピース２０のバンド部３０側（裏面側と称する場合もある。）には、バンド部３０側に突出する連結部２２０が形成される。バンド部３０の係合部３４（３４Ａおよび３４Ｂ）は、開口３４２を有する。着用者は、当該開口３４２にエンドピース２０の連結部２２０を挿入し、連結部２２０を回転させることにより、図３に示したように、エンドピース２０とバンド部３０が係合し、バンド部３０にエンドピース２０が取り付けられる。着用者は、図３に示した状態において、エンドピース２０の連結部２２０を回転させて連結部２２０を開口３４２から抜くことにより、エンドピース２０をバンド部３０から取り外すこともできる。すなわち、着用者は、工具を使用せずに、エンドピース２０とバンド部３０を容易に脱着することが可能である。
【００２３】
（本開示の実施形態による腕時計の有意性）
上述したように、本開示の実施形態による腕時計１は、環状であり、センサ機能および無線通信機能などが実装されたバンド部３０を有する。そして、エンドピース２０は当該バンド部３０に脱着可能である。このため、着用者は、バンド部３０を単独でウェアラブル端末として使用することも、エンドピース２０および時計ヘッド１０がバンド部３０に取り付けられている腕時計１を使用することも可能である。
【００２４】
また、バンド部３０にはサイズの異なる多様なエンドピース２０を脱着可能である。すなわち、バンド部３０には、ラグ幅の異なる多様な時計ヘッド１０に対応するサイズを有するエンドピース２０を脱着可能である。従って、バンド部３０に対して、異なるエンドピース２０を介して、ラグ幅が異なる時計ヘッド１０を容易に付け替えることが可能である。
【００２５】
以上、本開示の実施形態による腕時計１の概要を説明した。以下では、腕時計１の構成をより具体的に説明する。
【００２６】
＜２．バックル部の構成＞
まず、図４を参照して、バンド部３０の一部であるバックル部３２の構成を説明する。図４は、バックル部３２の閉状態および開状態を示す説明図である。図４に示したように、バックル部３２は、中央ブレード３２２（回路基板４０を内蔵）、第１の可動ブレード３２４Ａおよび第２の可動ブレード３２４Ｂを有する。
【００２７】
第１の可動ブレード３２４Ａはリンク３２６Ａおよび３２８Ａを有し、第２の可動ブレード３２４Ｂは、リンク３２６Ｂおよび３２８Ｂを有する。第１の可動ブレード３２４Ａのリンク３２６Ａは中央ブレード３２２の一端にジョイント３２７Ａを介して接続され、第２の可動ブレード３２４Ｂのリンク３２６Ｂは中央ブレード３２２の他端にジョイント３２７Ｂを介して接続される。第１の可動ブレード３２４Ａのリンク３２６Ａおよび３２８Ａはジョイント３２９Ａを介して接続され、第２の可動ブレード３２４Ｂのリンク３２６Ｂおよび３２８Ｂはジョイント３２９Ｂを介して接続される。
【００２８】
バックル部３２の閉状態において、第１の可動ブレード３２４Ａのリンク３２６Ａおよび３２８Ａは中央ブレード３２２の一端側に折り重ねられ、第２の可動ブレード３２４Ｂのリンク３２６Ｂおよび３２８Ｂは中央ブレード３２２の他端側に折り重ねられる。第１の可動ブレード３２４Ａおよび第２の可動ブレード３２４Ｂは、この閉状態において間隔を有するように設けられる。このため、図４の上図に示したように、第１の可動ブレード３２４Ａおよび第２の可動ブレード３２４Ｂの間隔部分に、脈拍センサ４２１を露出させることが可能である。
【００２９】
バックル部３２は、第１の可動ブレード３２４Ａおよび第２の可動ブレード３２４Ｂの折り畳みが解除されることにより、閉状態から開状態に遷移する。具体的には、第１の可動ブレード３２４Ａのリンク３２６Ａがジョイント３２７Ａ周りに回転し、リンク３２８Ａがジョイント３２９Ａ周りに回転すること、および、第２の可動ブレード３２４Ｂのリンク３２６Ｂがジョイント３２７Ｂ周りに回転し、リンク３２８Ｂがジョイント３２９Ｂ周りに回転することにより、第１の可動ブレード３２４Ａおよび第２の可動ブレード３２４Ｂの折り畳みが解除される。バックル部３２の開状態においては、バンド部３０の外周長が長くなるので、着用者はバンド部３０を腕に通すこと、およびバンド部３０を腕から抜くことが可能である。
【００３０】
（回路基板）
本開示の実施形態においては、上述したバックル部３２の中央ブレード３２２に、センサ機能および無線通信機能などが実装された回路基板が内蔵される。以下、バックル部３２の中央ブレード３２２に内蔵される回路基板の構成を説明する。
【００３１】
図５は、回路基板４０の構成を示す説明図である。図５に示したように、回路基板４０は、バッテリ４１０、センサモジュール４２０、非接触通信部４３０、無線通信部４４０、記憶部４５０および制御部４６０を有する。
【００３２】
バッテリ４１０は、回路基板４０の各構成に電力を供給する二次電池である。
【００３３】
センサモジュール４２０は、１または２以上の物理量を検出するためのモジュールである。図５に示した例では、センサモジュール４２０に含まれるセンサとして、脈拍センサ４２１、加速度センサ４２２およびジャイロセンサ４２３を示している。センサモジュール４２０に含まれるセンサは図５に示した例に限定されず、センサモジュール４２０は、他のセンサを含んでもよいし、図５に示した一部または全てのセンサを有さなくてもよい。
【００３４】
非接触通信部４３０は、他の通信装置と非接触通信を行うためのインタフェースである。非接触通信部４３０と他の通信装置とが非接触通信のユースケースとしては、例えば、小売店における商品代金の支払い、駅改札における運賃の支払い、および本人認証などが挙げられる。
【００３５】
無線通信部４４０は、他の通信装置と、非接触通信よりも通信可能範囲が広い無線通信を行うためのインタフェースである。無線通信部４４０は、無線ＬＡＮによる無線通信を行ってもよいし、Ｂｌｕｅｔｏｏｔｈ（登録商標）による無線通信を行ってもよい。無線通信部４４０は、例えば、着用者が利用するスマートフォンにセンサモジュール４２０で検出された情報を送信する際に用いられる。
【００３６】
記憶部４５０は、回路基板４０の動作に用いられる情報を記憶する。例えば、記憶部４５０は、制御部４６０が動作するためのプログラム、およびセンサモジュール４２０で検出された情報を記憶する。
【００３７】
制御部４６０は、回路基板４０の動作全般を制御する。例えば、制御部４６０は、センサモジュール４２０の起動と停止、非接触通信部４３０が行う非接触通信、無線通信部４４０が行う無線通信などを制御する。
【００３８】
＜３．係合部の構成＞
次に、バンド部３０に設けられる係合部３４の構成を説明する。図６は、バンド部３０の内側を視点とする係合部３４Ａおよび３４Ｂの構成を示す説明図である。図７は、図６に示した係合部３４ＢのＩ−Ｉ断面を示す説明図である。
【００３９】
係合部３４Ｂは、図６および図７に示したように、開口３４２、当接面３４４、段差部３４７および傾斜面３４８を有する。開口３４２の長手方向はバンド部３０の延伸方向に対応し、開口３４２の短手方向はバンド部３０の幅方向に対応する。当接面３４４は、開口３４２の幅方向の両側に、バンド部３０の延伸方向に沿って形成される面である。当接面３４４の開口３４２側の縁には、当接面３４４から着用者の肌側に突出する段差部３４７が形成される。傾斜面３４８は、段差部３４７と開口３４２の間に位置し、開口３４２からより離れた位置では着用者の肌側により近くなる。
【００４０】
係合部３４Ａは、上述した開口３４２、当接面３４４、段差部３４７および傾斜面３４８に加えて、図６に示したように複数の凹部３４６を有する。複数の凹部３４６は、当接面３４４に、バンド部３０の延伸方向上で離隔して形成される。一方の当接面３４４に形成された凹部３４６とバンド部３０の延伸方向上の同位置に、当該凹部３４６と対になる凹部３４６が他方の当接面３４４に形成される。すなわち、係合部３４Ａの当接面３４４には、複数対の凹部３４６が形成される。
【００４１】
上述した複数対の凹部３４６のうちのいずれか一対の凹部３４６にエンドピース２０の後述する突起２２５が嵌合することで、バンド部３０に対してエンドピース２０および時計ヘッド１０が位置決めされる。一方、係合部３４Ｂには凹部３４６が設けられていないので、エンドピース２０は係合部３４Ｂと開口３４２に沿ういずれの位置においても係合することができる。従って、バンド部３０に対して一方のエンドピース２０および時計ヘッド１０を位置決めしつつ、バンド部３０に２つのエンドピース２０が係合される位置の間隔を無段階に調整することが可能である。
【００４２】
＜４．エンドピースの構成およびバンド部への取り付け＞
次に、エンドピース２０の構成、およびエンドピース２０のバンド部３０への取り付けについて説明する。
【００４３】
（エンドピースの構成）
図８は、エンドピース２０の斜視図である。図８に示したように、エンドピース２０は、ピース筐体部２１０および連結部２２０を有する。
【００４４】
ピース筐体部２１０は、着用者の肌側を向く裏面２１、および裏面２１と反対側を向く表面２２を有する。ピース筐体部２１０は、ピン２１３、シリンダ２１４および操作レバー２１５を有する。ピン２１３は、ピース筐体部２１０の幅方向の両端に１つずつ設けられており、幅方向の外側に突出する。ピン２１３は、幅方向の外側に突出する方向に図示しない付勢部材により付勢されている。シリンダ２１４はピン２１３の外周を覆い、ピン２１３の往復移動をガイドする。操作レバー２１５は、ピース筐体部２１０の幅方向に沿って往復可能であり、操作レバー２１５の移動と連動してピン２１３が移動する。具体的には、着用者が操作レバー２１５を幅方向の内側に移動させると、ピン２１３が付勢力に対抗して引き込まれ、着用者が操作レバー２１５から手を離すと、ピン２１３は付勢力により幅方向の外側に突出した位置に復帰する。
【００４５】
連結部２２０は、軸部２２２および張出部２２４を有する。軸部２２２は、ピース筐体部２１０の裏面２１から、ピース筐体部２１０の厚み方向に沿って形成される。張出部２２４は、軸部２２２の端部からピース筐体部２１０の厚み方向と直交する方向に張り出す。張出部２２４の長手方向の両端部には、ピース筐体部２１０側に突出する突起２２５が形成される。このような連結部２２０は、ピース筐体部２１０の表面２２側に付勢されている。以下、連結部２２０の付勢について、図９を参照して説明する。
【００４６】
図９は、図８のＩＩ−ＩＩ線断面を示す説明図である。図９に示したように、ピース筐体部２１０の内部には、Ｅリング２３０およびスプリング２３２を有する。Ｅリング２３０は、軸部２２２と相対的に回転可能に設けられている。スプリング２３２は、連結部２２０を付勢する弾性部の一例であり、ピース筐体部２１０の内壁とＥリング２３０との間に、軸部２２２の外周を囲うように設けられる。かかる構成により、連結部２２０は、ピース筐体部２１０に対して回転可能であり、ピース筐体部２１０の表面２２側に付勢される。
【００４７】
図８に示したように、ピース筐体部２１０は、軸部２２２が挿入される孔の縁に沿って形成されるガイド部２４を有する。ガイド部２４は、孔の周方向に沿ってピース筐体部２１０の裏面２１からの高さが連続的に変化する傾斜面２６、および傾斜面２６の張出部２２４側の端部に隣接して位置する凹部である係止部２７を有する。また、軸部２２２は、連結部２２０が回転する際にガイド部２４の傾斜面２６を摺動する摺動部２２６を備える。以下、図１０および図１１を参照して、連結部２２０の回転動作を説明する。
【００４８】
図１０は、連結部２２０の回転過程を示す説明図である。図１０に示したように、ユーザが張出部２２４を持って連結部２２０を回転させると、摺動部２２６がガイド部２４の傾斜面２６を摺動することにより、連結部２２０がスプリング２３２の付勢力に対抗して引き出される。
【００４９】
図１１は、連結部２２０の回転後の状態を示す説明図である。図１１に示したように、摺動部２２６がガイド部２４の係止部２７に嵌合することにより、連結部２２０がピース筐体部２１０に対して係止される。
【００５０】
図１２は、図１１に示したＩＩＩ−ＩＩＩ線断面を示す説明図である。図９と図１１との比較から理解されるように、図１１に示した摺動部２２６がガイド部２４の係止部２７に嵌合している状態においては、連結部２２０がピース筐体部２１０から引き出されている。
【００５１】
（エンドピースのバンド部への取り付け）
以上、エンドピース２０の構成を説明した。続いて、エンドピース２０のバンド部３０への取り付けを説明する。
【００５２】
着用者は、図１１に示したように摺動部２２６がガイド部２４の係止部２７に嵌合している状態で、連結部２２０をバンド部３０の開口３４２に挿入する。図１３は、連結部２２０がバンド部３０の開口３４２に挿入された状態を示す断面図である。
【００５３】
その後、着用者は、連結部２２０を引っ張ることにより摺動部２２６の係止部２７への嵌合を解除し、張出部２２４の長手方向がバンド部３０の幅方向に一致するように連結部２２０を回転させる。図１４は、張出部２２４の長手方向がバンド部３０の幅方向に一致している状態を示す断面図である。
【００５４】
図１４に示した状態においては、張出部２２４の突起２２５が係合部３４の当接面３４４に当接している。さらに、張出部２２４はスプリング２３２によりピース筐体部２１０側に付勢されているので、突起２２５は当接面３４４を付勢力に応じた力で押圧している。さらに、突起２２５には係合部３４の段差部３４７が隣接している。このような突起２２５と当接面３４４との当接、および突起２２５と段差部３４７との隣接により、張出部２２４を含む連結部２２０の回転が規制され、エンドピース２０がバンド部３０に取り付けられた状態が維持される。当該状態において、着用者は、連結部２２０を引っ張り、張出部２２４の長手方向が開口３４２の長手方向に一致するように連結部２２０を回転させることにより、エンドピース２０をバンド部３０から取り外すことが可能である。
【００５５】
＜５．作用効果＞
以上、本開示の実施形態による腕時計１の構成を説明した。以下、本開示の実施形態による腕時計１の作用効果を整理する。
【００５６】
上述したように、バンド部３０は環状であり、バンド部３０にはセンサ機能および無線通信機能などが実装されている。そして、エンドピース２０は当該バンド部３０に脱着可能である。このため、着用者は、バンド部３０を単独でウェアラブル端末として使用することも、エンドピース２０および時計ヘッド１０がバンド部３０に取り付けられている腕時計１を使用することも可能である。すなわち、着用者は、図１に示したような腕時計１の使用と、図１５に示すバンド部３０の単独での使用とを容易に切り替えることができる。例えば、ユーザは、入浴中および睡眠中にはバンド部３０を単独で使用し、外出の際にはエンドピース２０および時計ヘッド１０がバンド部３０に取り付けられている腕時計１を使用することが可能である。
【００５７】
また、バンド部３０にはサイズの異なる多様なエンドピース２０を脱着可能である。例えば図１６に示すように、バンド部３０には、ラグ幅ｗ１に対応するエンドピース２０Ａ、およびラグ幅ｗ２に対応するエンドピース２０Ｂを取り付け可能である。結果、ラグ幅ｗ１を有する時計ヘッド１０Ａ、およびラグ幅ｗ２を有する時計ヘッド１０Ｂのいずれもバンド部３０に取り付け可能である。このように、本開示の実施形態によれば、ラグ幅が異なる多様な時計ヘッド１０をバンド部３０に付け替え可能である。
【００５８】
また、２つのエンドピース２０がバンド部３０に係合される位置の間隔は無段階に調整可能である。例えば図１７に示すように、２つのエンドピース２０の間隔をｄ１に調整することも、２つのエンドピース２０の間隔をｄ２に調整することも可能である。従って、本開示の実施形態によれば、エンドピース２０を介して、縦方向の長さが異なる多様な時計ヘッド１０もバンド部３０に付け替え可能である。
【００５９】
＜６．変形例＞
以上、本開示の実施形態を説明した。以下では、本開示の実施形態の幾つかの変形例を説明する。なお、以下に説明する各変形例は、単独で本開示の実施形態に適用されてもよいし、組み合わせで本開示の実施形態に適用されてもよい。また、各変形例は、本開示の実施形態で説明した構成に代えて適用されてもよいし、本開示の実施形態で説明した構成に対して追加的に適用されてもよい。
【００６０】
例えば、上記ではバンド部３０に２つの係合部３４が設けられる例を説明したが、バンド部３０にはより多くの係合部３４が設けられてもよい。かかる構成によれば、２つのエンドピース２０をいずれの係合部３４に係合させるかにより２つのエンドピース２０の間隔を異ならせることができるので、縦方向の長さが異なるより多様な時計ヘッド１０をバンド部３０に付け替え可能である。
【００６１】
また、上記では２つの係合部３４が分離して設けられる例を説明したが、バンド部３０には、想定される時計ヘッド１０の縦方向の長さ以上の長さを有する開口３４２を含む１つの係合部３４を形成してもよい。かかる構成によれば、２つのエンドピース２０を１つの係合部３４に係合させることが可能である。
【００６２】
また、係合部３４は金属または樹脂で形成され、バンド部３０の係合部３４およびバックル部３２以外の部分はゴムで形成されてもよい。かかる構成によれば、係合部３４の剛性を確保することにより、着用者の意図に反して連結部２２０が係合部３４から外れてしまうことを抑制可能である。
【００６３】
また、上記では連結部２２０が回転することにより連結部２２０と係合部３４が係合する例を説明したが、連結部２２０がエンドピース２０に対してスライド可能に形成され、連結部２２０がスライドすることにより連結部２２０と係合部３４が係合してもよい。
【００６４】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６６】
また、以下のような構成も本開示の技術的範囲に属する。
（１）
中空部を形成する環状のバンド部を有し、
前記バンド部は、
センサモジュール、および、
時計ヘッドが取り付けられるエンドピースと着脱可能に係合する係合部、
を有する、バンド装置。
（２）
前記エンドピースは、着用者の肌側に位置する裏面および前記裏面の反対側の表面を有するピース筐体部、および前記ピース筐体部の前記裏面から前記バンド部側に突出する連結部を有し、
前記係合部は、前記エンドピースの前記連結部が挿入される開口を有する、前記（１）に記載のバンド装置。
（３）
前記連結部は、前記ピース筐体部の厚み方向に沿って形成される軸部、および前記軸部の端部から前記厚み方向と直交する方向に張り出す張出部を有し、
前記係合部は、前記バンド部の裏面に、前記張出部と当接する当接面を有する、前記（２）に記載のバンド装置。
（４）
前記張出部の端部には前記ピース筐体部側に突出する突起が形成されており、
前記係合部の前記当接面は前記張出部の前記突起に当接し、
前記係合部は、前記当接面の前記開口側の縁に、前記着用者側に突出する段差部を有する、前記（３）に記載のバンド装置。
（５）
前記バンド装置は、複数の前記係合部を有し、
第１の係合部の前記当接面には、前記張出部の前記突起と嵌合可能な凹部が前記バンド部の延伸方向に沿って複数形成され、
第２の係合部の前記当接面には前記凹部が形成されない、前記（４）に記載のバンド装置。
（６）
前記エンドピースは、前記連結部を前記表面側に付勢する弾性部を有する、前記（３）〜（５）のいずれか一項に記載のバンド装置。
（７）
前記軸部は前記ピース筐体部に対して回転可能に設けられる、前記（６）に記載のバンド装置。
（８）
前記ピース筐体部は、前記軸部が挿入される孔の縁に沿って形成されるガイド部を有し、
前記ガイド部は、前記孔の周方向に沿って前記ピース筐体部の裏面からの高さが連続的に変化する傾斜面を有し、
前記軸部は、前記軸部が回転する際に前記傾斜面上を摺動する摺動部を有する、前記（７）に記載のバンド装置。
（９）
前記センサモジュールは脈拍センサを有し、
前記バンド部は、中央ブレード、第１の可動ブレードおよび第２の可動ブレードを有するバックル部を有し、
前記第１の可動ブレードは、前記中央ブレードの一端に接続され、前記中央ブレードの一端側に折り重ねられ、
前記第２の可動ブレードは、前記中央ブレードの他端に接続され、前記中央ブレードの他端側に折り重ねられ、
前記中央ブレードに折り重ねられた前記第１の可動ブレードと前記第２の可動ブレードの間隔部分に前記脈拍センサが配置される、前記（１）〜（８）のいずれか一項に記載のバンド装置。
（１０）
前記バンド装置は、前記エンドピースを備える、前記（１）〜（９）のいずれか一項に記載のバンド装置。
（１１）
前記バンド装置は、前記時計ヘッドを備える、前記（１０）に記載のバンド装置。
（１２）
センサモジュールを有するバンド部と、
前記バンド部と着脱可能なエンドピースと、
前記エンドピースに取り付けられる時計ヘッドと、
を備える、腕時計。
（１３）
着用者の肌側に位置する裏面および前記裏面の反対側の表面を有するピース筐体部と、
前記ピース筐体部の前記裏面から突出し、バンド部と着脱可能に係合する連結部と、
を有する、エンドピース。
【符号の説明】
【００６７】
１  腕時計
１０  時計ヘッド
１１０  表示面
１１２  ラグ
１１３  ピン孔
２０  エンドピース
２１  裏面
２２  表面
２４  ガイド部
２６  傾斜面
２７  係止部
２１０  ピース筐体部
２１３  ピン
２１４  シリンダ
２１５  操作レバー
２２０  連結部
２２２  軸部
２２４  張出部
２２５  突起
２２６  摺動部
２３０  Ｅリング
２３２  スプリング
３０  バンド部
３２  バックル部
３２２  中央ブレード
３２４Ａ  第１の可動ブレード
３２４Ｂ  第２の可動ブレード
３２６、３２８  リンク
３２７、３２９  ジョイント
３４  係合部
３４２  開口
３４４  当接面
３４６  凹部
３４７  段差部
３４８  傾斜面
４０  回路基板
４１０  バッテリ
４２０  センサモジュール
４２１  脈拍センサ
４２２  加速度センサ
４２３  ジャイロセンサ
４３０  非接触通信部
４４０  無線通信部
４５０  記憶部
４６０  制御部
【図１】
2019097779.tif 000003
【図２】
2019097779.tif 000004
【図３】
2019097779.tif 000005
【図４】
2019097779.tif 000006
【図５】
2019097779.tif 000007
【図６】
2019097779.tif 000008
【図７】
2019097779.tif 000009
【図８】
2019097779.tif 000010
【図９】
2019097779.tif 000011
【図１０】
2019097779.tif 000012
【図１１】
2019097779.tif 000013
【図１２】
2019097779.tif 000014
【図１３】
2019097779.tif 000015
【図１４】
2019097779.tif 000016
【図１５】
2019097779.tif 000017
【図１６】
2019097779.tif 000018
【図１７】
2019097779.tif 000019
【国際調査報告】
2019097779.tif 000020
2019097779.tif 000021
2019097779.tif 000022
2019097779.tif 000023